(57)【要約】【課題】本発明は、使用者が安定した状態で座ることができ、荷物を抱えて座ることがなくなり、かつ、使用するための作業性を向上させた携帯用椅子を提供する。【解決手段】本携帯用椅子１は、間隔を隔てて配置され、伸縮自在に構成された２本の脚部２と、２本の脚部２の上部に設けられた座部３と、２本の脚部２の下部に設けられ、荷物４を収容するための収容口５ａを備えた支持部５とを有する。本携帯用椅子１を用いて座る場合には、脚部２を伸ばした後、荷物４を支持部５の収容口５ａに入れ、使用者の尻を座部３に乗せた状態で腰掛ける。携帯用椅子１を運搬する場合には、脚部２を短縮した後、紐６を肩に掛けるか手で持つことにより行われる。【選択図】  図１
2006239471.tif 000002
【特許請求の範囲】
【請求項１】
間隔を隔てて配置された２本の脚部と、
前記２本の脚部の一方の端部に設けられた座部と、
前記２本の脚部の他方の端部に設けられた支持部と、を有し、
前記脚部は伸縮自在に構成されている、
ことを特徴とする携帯用椅子。
【請求項２】
前記支持部は、荷物を収容するための収容口を備えていることを特徴とする請求項１に記載の携帯用椅子。
【請求項３】
前記座部又は支持部に、運搬用の紐又は取っ手が設けられていることを特徴とする請求項１又は２に記載の携帯用椅子。
【請求項４】
前記支持部にキャスターが取り付けられていることを特徴とする請求項１乃至３のいずれか１つの項に記載の携帯用椅子。
【発明の詳細な説明】
【技術分野】
【０００１】
本発明は、携帯用椅子に関し、特に、２本の脚部を供えた携帯用椅子に関する
【背景技術】
【０００２】
一般に、電車や施設内が混雑して座れない場合、順番待ちのために立って並んでいる場合、観客席のないグランドでスポーツ観戦する場合等に、持ち運びができる携帯用椅子を用いて座ると便利である。
【０００３】
従来の携帯用椅子としては、長尺に形成された一本の脚部の頂部に座台を連結して、略Ｔ字状に構成した立ち椅子が知られている。また、立ち椅子と杖とを兼用させたものも知られている。これらの立ち椅子は、人がほぼ立ったままの状態で、尻を座台に載せた状態に腰掛け、座台を介して椅子に体重を預けるようにして使用される。
【０００４】
例えば、特許文献１には、同形状の部材を連結して成る一本の脚体と、その脚体に取り付けられる座台とから成る立ち椅子であって、脚体を構成する部材の嵌着状態を解除して座台の下部に脚体の各構成部材を収納することにより、コンパクトに携帯可能とした立ち椅子が、提案されている。また、座台を筒状に構成してその内部に携帯用折り畳み傘等を格納することができるようにしている。
【０００５】
また、特許文献２には、脚体の各構成部材をワイヤで連結し、容易に組み立てることができるように構成された立ち椅子が提案されている。
【０００６】
さらに、特許文献３には、一本の脚体と、該脚体の頂部に設けられた座体とで構成される携帯用椅子において、座体を、門状の基部材と、脚体を連結するための接続部を備えるとともに、基部材により形成される門の下部間を連結する架橋部材とで構成し、脚体を、複数の筒状部材を分解可能に螺結して構成し、座体を構成する基部材により形成される門状の内部空間に、脚体を構成する筒状部材を格納可能とした携帯用椅子が提案されている。この携帯用椅子によえば、コンパクト且つまとまったかたちで携帯することができ、組み立てが簡便である、としている。
【特許文献１】特開昭５４−１２００７０号公報
【特許文献２】特開２００１−２５８６８３号公報
【特許文献３】特開２００５−３４３９５号公報
【発明の開示】
【発明が解決しようとする課題】
【０００７】
特許文献１〜３に提案されている従来の携帯用椅子を使用する場合、使用者の両足を含めると３本の足で支えることになるが、椅子が前後左右のどの方向にも動いてしまうため、非常に不安定で座り心地が悪いという課題があった。
【０００８】
また、従来の携帯用椅子を利用して座る際に荷物は手で持ち続ける必要があり、その結果、荷物を抱える労力は緩和されず、荷物を高い位置で抱えることにより、さらに不安定な状態で座ることになるという課題があった。
【０００９】
さらに、従来の携帯用椅子では、使用する毎に、カバン等から取り出して組み立てたり、分解したりしなければならず、その作業が非常に煩雑で時間を要するため、わざわざ椅子を携帯してまで使う理由が希薄になってしまうという課題があった。
【００１０】
本発明は、上記課題を解決するためになされたものであり、使用者が安定した状態で座ることができ、荷物を抱えて座ることがなくなり、かつ、使用するための作業性を向上させた携帯用椅子を提供することを目的とする。
【課題を解決するための手段】
【００１１】
本発明の携帯用椅子は、間隔を隔てて配置された２本の脚部と、前記２本の脚部の一方の端部に設けられた座部と、前記２本の脚部の他方の端部に設けられた支持部とを有し、前記脚部は伸縮自在に構成されていることを特徴とするものである。
【００１２】
前記支持部は、荷物を収容するための収容口を備えていてもよい。
【００１３】
前記座部又は支持部に、運搬用の紐又は取っ手が設けられていてもよい。
【００１４】
前記支持部にキャスターが取り付けられていてもよい。
【発明の効果】
【００１５】
本発明によれば、２本の脚部を有するので、使用者は安定した状態で座ることができる。
【００１６】
また、荷物を支持部の収容口内に入れることができるので、使用者は、荷物を抱えないで済むようになることになるので、荷物を抱える労力が緩和される。これによって、重心が下に移動するので、さらに安定度が増すことになる。
【００１７】
また、運搬するときは、脚部を縮めるだけであるので、作業が簡単で短時間で行うことができる。また、収容口の中に荷物を入れたままで移動することもできる。
【００１８】
さらに、支持部にキャスターが取り付けられている場合には、地上に引きずりながら持ち運びができ、利便性をより向上させることができる。
【発明を実施するための最良の形態】
【００１９】
以下、本発明の実施の形態について図面を参照して説明する。図１（Ａ）は本発明の実施形態例に係る携帯用椅子を示す正面図、（Ｂ）はその側面図、図２（Ａ）が本発明の実施形態例に係る携帯用椅子の脚部を縮めた状態を示す正面図、（Ｂ）はその側面図、（Ｃ）は脚部の内部構造を示す断面図である。
【００２０】
図１及び図２に示すように、本発明の実施形態例に係る携帯用椅子１は、間隔を隔てて配置された２本の脚部２と、２本の脚部２の上部に設けられた座部３と、２本の脚部２の下部に設けられ、カバン等の荷物４を収容するための収容口５ａを備えた支持部５とを有する。
【００２１】
脚部２は、図２（Ｃ）に示すように、筒状の下側脚部２ａと、その下側脚脚部２ａ内に移動可能に嵌合する上側脚部２ｂとからなり、伸縮自在に構成されている。また、上側脚部２ｂは、図示しない公知の係止手段により、下側脚部２ａの所定位置に係止できるように構成されている。
【００２２】
なお、脚部２の伸縮構造は任意であり、例えば特許文献１に開示されているような構造を採用してもよい。
【００２３】
座部３の上部には、運搬用の紐６が取り付けらている。
【００２４】
支持部５の底部には、滑り止め用のラバー７が取り付けられている。
【００２５】
本発明の実施形態例に係る携帯用椅子１を用いて座る場合には、脚部２を伸ばした後、荷物４を支持部５の収容口５ａに入れ、使用者の尻を座部３に乗せた状態で腰掛ける。
【００２６】
また、携帯用椅子１を運搬する場合には、脚部２を短縮した後、紐６を肩に掛けるか手で持つことにより行われる。
【００２７】
本発明の実施形態例に係る携帯用椅子１によれば、脚部２が２本あるので、従来の携帯用椅子に比べ、動きうる方向は２つに減少する。つまり、椅子を跨いで座っている状態であれば動きうる方向は左右の２つのみに減少し、椅子を両足の後ろに置いて座っている状態であれば前後の２つのみに減少する。その結果、使用者は安定した状態で座ることができる。
【００２８】
他方、脚部２の数を２本に抑えておけば椅子の形は平面から見て１本の線だけで済むことになるため、空間を占有せず混雑したところでも周囲の邪魔になりにくい。仮に脚部を３本にしてしまうと、椅子が一定の空間を占有してしまう形になるため、周囲の邪魔になりやすくなってしまうことになる。
【００２９】
また、荷物４を支持部５の収容口５ａ内に入れることができるので、使用者は、荷物４を抱えないで済むようになり、荷物４を抱える労力が緩和される。これによって、重心が下に移動するので、さらに安定度が増すことになる。
【００３０】
また、椅子の下方の空間に荷物４を入れる、つまり椅子を表に出してその中に荷物４を入れるようにすることで、椅子を運んで下に置いて椅子の脚部２を伸ばせばすぐに座ることができる。
【００３１】
さらに、運搬するときは、脚部２を縮めるだけであるので、作業が簡単で短時間で行うことができる。また、収容口５ａの中に荷物を入れたままで移動することもできる。
【００３２】
図３（Ａ）は本発明の他の実施形態例に係る携帯用椅子を示す正面図、（Ｂ）はその側面図、（Ｃ）はその使用状態を示す説明図である。
【００３３】
図３（Ａ）及び（Ｂ）に示すように、本発明の他の実施形態例に係る携帯用椅子１´では、支持部５の下部側面に左右一対のキャスター８が取り付けられている。キャスター８は軸を中心に一定の方向に回転するものや、３６０度あらゆる方向に自由に回転できる構成のものでもよい。
【００３４】
本発明の他の実施形態例に係る携帯用椅子１´によれば、支持部５にキャスター８が取り付けられているので、図３（Ｃ）に示すように、地上Ｇに引きずりながら持ち運びができ、利便性をより向上させることができる。
【００３５】
本発明は、上記実施の形態に限定されることはなく、特許請求の範囲に記載された技術的事項の範囲内において、種々の変更が可能である。例えば、本携帯用椅子１は、アルミ合金等のような軽量で剛性のある材質で作られているのが好ましい。
【００３６】
また、紐６は、支持部５に設けてもよく、紐６の代わりに取っ手を設けてもよい。
【産業上の利用可能性】
【００３７】
本発明は、例えば電車や施設内が混雑して座れない場合、順番待ちのために立って並んでいる場合、観客席のないグランドでスポーツ観戦する場合等に持ち運んで座るために利用される。
【図面の簡単な説明】
【００３８】
【図１】（Ａ）は本発明の実施形態例に係る携帯用椅子を示す正面図、（Ｂ）はその側面図である。
【図２】（Ａ）が本発明の実施形態例に係る携帯用椅子の脚部を縮めた状態を示す正面図、（Ｂ）はその側面図、（Ｃ）は脚部の内部構造を示す断面図である。
【図３】（Ａ）は本発明の他の実施形態例に係る携帯用椅子を示す正面図、（Ｂ）はその側面図、（Ｃ）はその使用状態を示す説明図である。
【符号の説明】
【００３９】
１，１´：携帯用椅子
２：脚部
３：座部
４：荷物
５ａ：収容口
５：支持部
６：紐
７：ラバー
８：キャスター
【図１】
2006239471.tif 000003
【図２】
2006239471.tif 000004
【図３】
2006239471.tif 000005